(57)【要約】      （修正有）【課題】風呂接続アダプターや出湯器具など、給湯器の湯を出す器具において、給湯を開始した時から給湯器により温度を調節された湯が出てくるまでの間に出てくる。給湯器が今回の湯沸しで温度の調整をしていない水が出てくる量を、少なくする風呂接続補助配管を提供する。【解決手段】風呂接続アダプター４直近の配管１３に、浴槽戻り側と浴槽送り側両方に３方弁７、８を設け風呂へ戻る設定と２つの３方弁をショートカットする設定を用意し、配管内の湯の温度を計測しつつ、温度が低い間は給湯器３から戻る湯を浴槽１に送らず３方弁から浴槽送り側配管の３方弁にショートカットして給湯器に戻し、給湯温度が上がったことを検知しだい、浴槽へ送り込む。【選択図】図１
2013245911.tif 000002
【特許請求の範囲】
【請求項１】
給湯器の配管との接続用に浴槽に取り付けられた接続用風呂接続アダプターの給湯器からの給湯側配管の接続部に接続できる風呂接続アダプター給湯側接続部と、
コモン側以外の２つの接続部のうちの1方に前記風呂接続アダプター給湯側接続部から配管で接続された浴槽戻り配管３方弁と、
前記浴槽戻り配管３方弁のコモン側の接続口に給湯器の給湯側の給湯器給湯側配管と配管を介して接続できる給湯器給湯側接続部を持ち、
かつ、前記風呂接続アダプターの給湯器へ湯を送る取水側配管の接続部に接続できる風呂接続アダプター取水側接続部と、
コモン側以外の２つの接続部のうち1方に前記風呂接続アダプター取水側接続部から配管で接続された浴槽送り出し配管側３方弁と、
前記浴槽送り出し配管側３方弁のコモン側の接続口に給湯器の取水側の給湯器取水側配管と接続できる給湯器取水側接続部を持ち、
さらに、前記浴槽戻り配管３方弁のコモン側以外の２つの接続部のうち、前記風呂接続アダプター給湯側接続部から配管で接続された接続部を除く１つの接続部と、前記浴槽送り出し配管側３方弁のコモン側以外の２つの接続部のうち、前記風呂接続アダプター取水側接続部から配管で接続された接続部を除く１つの接続部を接続するショートカット接続配管を持ち、
給湯器の浴槽配管の給湯側配管から前記浴槽戻り配管３方弁のコモン側接続部までの配管に温度センサーを
備えた風呂接続補助配管
【請求項２】
出湯器具配管に繋がる配管に接続される出湯器具配管接続部と、
コモン側以外の２つの接続部のうちの1方に前記出湯器具配管接続部から配管で接続された出湯開始制御３方弁と、
前記出湯開始制御３方弁のコモン側の接続口に給湯器の給湯側の給湯器出湯器具給湯用配管接続部と接続できる給湯器給湯側接続部を持ち、
かつ、水道管接続配管に接続できる水道管接続配管部と、
コモン側以外の２つの接続部のうち1方に前記水道管接続配管部から配管で接続された水供給調整３方弁と、
前記水供給調整３方弁のコモン側の接続口に、水流ポンプなどの機能を内部または外部に装備している給湯器の水供給側の水供給用水道配管と配管を介して接続できる給湯器水供給用水道配管接続部を持ち、
さらに、前記出湯開始制御３方弁のコモン側以外の２つの接続部のうち、前記出湯器具配管接続から配管で接続された接続部を除く１つの接続部と、前記水供給調整３方弁のコモン側以外の２つの接続部のうち、前記水道管接続配管部から配管で接続された接続部を除く１つの接続部を接続するショートカット接続配管を持ち、
給湯器の出湯器具接続配管の前記出湯器具給湯用配管接続部から前記出湯開始制御３方弁のコモン側接続部までの配管に温度センサーを
備えた風呂接続補助配管
【発明の詳細な説明】
【技術分野】
【０００１】
本発明は、浴槽の追いだき時や出湯器具の湯の流れを調整する給湯器に関する。
【背景技術】
【０００２】
従来より、給湯器や給湯機（以下、給湯器と呼ぶ）による浴槽の追いだき運転は、給湯器と浴槽の接続器具（以下「風呂接続アダプター」と呼ぶ）との間を配管により接続し、風呂接続アダプターから取り込んだ浴槽の湯を給湯器へ接続された配管（以下、浴槽送り出し配管と呼ぶ）を使って送り出し、給湯器で追いだき運転により温めた後、給湯器に送ったものとは別に接続されている戻り側の配管（以下、浴槽戻り配管と呼ぶ）を通って風呂接続アダプターにおくり戻され、暖かい湯を浴槽に戻すことで浴槽の湯を温めている。
【０００３】
この構造は給湯器と浴槽を離れた位置に設置して配管で繋ぐことができるため、大型の給湯器などにも使えることから、今ではとても普及している方法である反面、追いだき時に、前回の湯沸し、追いだき時に浴槽戻り側配管に残った湯が冷めていることが原因となり、冷たくなった水が追いだき開始時に浴槽へ流れ込んでくる欠点があった。
【０００４】
同様に、水道から給水を行い、シャワーや蛇口、カランなど（以後、出湯器具と呼ぶ。）などから湯を出す配管についても、給湯を開始した際に、浴槽用給湯器と同様に、配管内で温度が低下して、給湯実行時に、温かい温度の湯が給湯され始めるまでの間、温度の低下した水が出てくる状態になることがある。
【０００５】
この現象は、使用する出湯器具などから給湯器までの配管の長さが長いほど、その影響は大きくなる。
【先行技術文献】
【特許文献】
【０００６】
【特許文献１】特許第３８４４１１３号公報
【非特許文献】
【０００７】
【非特許文献１】三菱自然冷媒ヒートポンプ式電気給湯機「ＳＲＴ−ＨＰ３７４ＷＦＺ」取扱説明書
【非特許文献２】ダイキン自然冷媒（ＣＯ２）ヒートポンプ給湯機エコキュート「ＥＱ４６ＭＦＶ（Ｅ）（Ｈ）」取扱説明書
【非特許文献３】ダイキン自然冷媒（ＣＯ２）ヒートポンプ給湯機、据付説明書「ＥＱ４６ＭＦＶ（Ｅ）（Ｈ）」
【発明の概要】
【発明が解決しようとする課題】
【０００８】
追いだき動作を行う場合に、最初の運転開始前には、前回の湯沸し、または追いだきの終了した際に浴槽戻り配管に残された湯は、時間の経過とともに配管の材料を通して外気に温度を奪われてしまい、温度が下がった水が配管内に残っており、追い炊きを行うことで、この冷たい水が、追いだき運転開始直後に、配管の長さに応じた量だけ浴槽内に流れ込んでくる。
【０００９】
これは、給湯器の湯を供給する装置から浴槽の接続部までの配管の長さが長いほど多くなり、前回湯沸し、または追い炊きを行った際には、高い温度の湯で満たされていた前記浴槽戻り配管内が、湯沸しを停止していることによって、周囲の気温などにより、熱を奪われることで、温度が下がっていたため、追いだき操作による湯の循環で、給湯器のお湯が浴槽に届くまで、配管内の温度の下がった湯が流れ込むためである。（「非特許文献１」２４ページ下部「お知らせ」の３項目目、「非特許文献２」２１ページ右部「お知らせ」の３項目目に記述））
【００１０】
また、給湯器の種類によっては、給湯開始の時の給湯配管内の湯の流れを検知して湯沸しの動作を開始するものが多くあり、これらの給湯器では給湯を止めた状態から再度給湯を開始したときに、配管内に水の流れが発生してから湯沸しが始まるため、湯沸しが始まるまでの短い時間ではあるが、湯沸しを行わない状態で流れる水が出てしまうことがあり、先の湯沸しで温まった湯と次の湯沸しで温まる湯との間に、湯沸しが始まるまでの温まらない水が挟まった状態で排出される現象（以後ウォーターサンドイッチ現象と呼ぶ）が発生することもある。
【００１１】
これらの追いだきのはじめや途中に水が出てくる現象は、入浴しながらの追いだき時には不快を伴うものであるとともに、浴槽と給湯器を接続する配管が長い場合などは、その温度が低くなった水の流入量の多さから、浴槽内の湯の温度を下げてしまう場合も出てしまう。
【００１２】
これを極力避けるために、給湯器と浴槽の間の配管には、保温材（断熱材を含む）を隙間無く巻くことで、追いだき時の水の浴槽への流入を最小限にとどめる工夫が行われている。（「非特許文献３」１４ページ右部「注意事項」の２項目目と同ページの表欄の備考に保温材取り付けに記述）
【００１３】
しかし、配管への保温材による処理では、短い時間間隔で行う追いだきでは多少水の温度が下がるのを防ぐ効果はあるが、少し時間経過すると、ほとんど保温材の効果が感じられない程度まで、冷たくなった水が浴槽に流れ込んでしまう。
【００１４】
追いだき時の温度低下に関しては、冬季の低温化に配管内の水が凍結する事故を防ぐ目的で、「特許文献１」に記載の発明があり、配管内の湯の温度低下はすでに周知の事実となっているが、追いだき時の配管内で下がった水の流入などは、一時的な不快感のみのため、特に給湯器器が改良されること無く、使用者が我慢することを強いられていた現状がある。
【００１５】
さらに。ウォーターサンドイッチ現象の発生については、保温材で防ぐことでは改善できず、また温まって出てくる湯との温度差が高いことで、特に気になる可能性がある。
【００１６】
そこで本発明は、従来浴槽内に入ってきていた、冷めてしまった配管内の水が、極力温度が下がったままの状態で浴槽内に流れ込まない器具を提供することを目的とする。
【００１７】
浴槽の給湯以外の、出湯器具に接続されている給湯設備についても、浴槽の給湯設備と同様に、使用する出湯器具などから給湯器までの配管の長さが長いほど、配管温度低下の影響は大きくなるが、この湯の温度低下についても、浴槽の給湯に関する配管内の温度低下と同様に、一般的な改善策としては、配管に保温材を巻く等といった、効果の小さいものがほとんどであった。
【課題を解決するための手段】
【００１８】
給湯器の配管との接続用に浴槽に取り付けられた接続用風呂接続アダプターの給湯器からの給湯側配管の接続部に接続できる風呂接続アダプター給湯側接続部と、
コモン側以外の２つの接続部のうちの1方に前記風呂接続アダプター給湯側接続部から配管で接続された浴槽戻り配管３方弁と、
前記浴槽戻り配管３方弁のコモン側の接続口に給湯器の給湯側の給湯器給湯側配管と配管を介して接続できる給湯器給湯側接続部を持ち、
かつ、前記風呂接続アダプターの給湯器へ湯を送る取水側配管の接続部に接続できる風呂接続アダプター取水側接続部と、
コモン側以外の２つの接続部のうち1方に前記風呂接続アダプター取水側接続部から配管で接続された浴槽送り出し配管側３方弁と、
前記浴槽送り出し配管側３方弁のコモン側の接続口に給湯器の取水側の給湯器取水側配管と接続できる給湯器取水側接続部を持ち、
さらに、前記浴槽戻り配管３方弁のコモン側以外の２つの接続部のうち、前記風呂接続アダプター給湯側接続部から配管で接続された接続部を除く１つの接続部と、前記浴槽送り出し配管側３方弁のコモン側以外の２つの接続部のうち、前記風呂接続アダプター取水側接続部から配管で接続された接続部を除く１つの接続部を接続するショートカット接続配管を持ち、
給湯器の浴槽配管の給湯側配管から前記浴槽戻り配管３方弁のコモン側接続部までの配管に温度センサーを
備えた風呂接続補助配管
【００１９】
出湯器具配管に繋がる配管に接続される出湯器具配管接続部と、
コモン側以外の２つの接続部のうちの1方に前記出湯器具配管接続部から配管で接続された出湯開始制御３方弁と、
前記出湯開始制御３方弁のコモン側の接続口に給湯器の給湯側の給湯器出湯器具給湯用配管接続部と接続できる給湯器給湯側接続部を持ち、
かつ、水道管接続配管に接続できる水道管接続配管部と、
コモン側以外の２つの接続部のうち1方に前記水道管接続配管部から配管で接続された水供給調整３方弁と、
前記水供給調整３方弁のコモン側の接続口に、水流ポンプなどの機能を内部または外部に装備している給湯器の水供給側の水供給用水道配管と配管を介して接続できる給湯器水供給用水道配管接続部を持ち、
さらに、前記出湯開始制御３方弁のコモン側以外の２つの接続部のうち、前記出湯器具配管接続から配管で接続された接続部を除く１つの接続部と、前記水供給調整３方弁のコモン側以外の２つの接続部のうち、前記水道管接続配管部から配管で接続された接続部を除く１つの接続部を接続するショートカット接続配管を持ち、
給湯器の出湯器具接続配管の前記出湯器具給湯用配管接続部から前記出湯開始制御３方弁のコモン側接続部までの配管に温度センサーを
備えた風呂接続補助配管
【発明の効果】
【００２０】
本発明によれば、風呂接続アダプターや出湯器具など、給湯器の湯を出す器具において、給湯を開始した時から給湯器により温度を調節された湯が出てくるまでの間に出てくる、給湯器が今回の湯沸しで温度の調整をしていない水が出てくる量を、少なくすることができる。
【図面の簡単な説明】
【００２１】
【図１】本発明の概念を簡単にした概念図である。
【図２】本発明に使用する３方弁の簡単な動作原理の１例である。
【図３】図２の３方弁が逆方向側の通路に切り替わったときの図である。
【図４】図２の形状の３方弁で作成した本発明の配管例の図である。
【図５】三方弁が循環ポジションの時の原理図である。
【図６】三方弁が追いだき給湯ポジションの時の原理図である。
【図７】本発明により動作開始させたときの動作フローである。
【図８】本発明の構造を風呂接続アダプターに一体化した場合の例を示す図である
【図９】本発明の出湯器具配管への応用構造である。
【図１０】図９の構造を動作開始させたときの動作フローである。
【図１１】三方弁が給湯モード時の配管状態図である。
【図１２】三方弁が循環モード時の配管状態図である。
【発明を実施するための形態】
【実施例１】
【００２２】
以下、本発明を具体化した形態を図面に基づいて説明する。
【００２３】
通常の給湯器では、給湯器と浴槽を接続するために、風呂接続アダプターなどと呼ばれる接続具で接続され、配管によって給湯器まで接続されている。
【００２４】
給湯側配管の中には、前回給湯または追いだき時に温かくなった湯が溜まり、残っているが、次回追いだき時までに空気などに温度を奪われることにより、追いだきを行うことで、最初のしばらく、冷たい水が風呂接続アダプターから浴槽へ流れ出し、入浴中などの場合に、不快な思いをすることになる場合がある。
【００２５】
また、給湯側配管の長さが長ければ長いほど、追いだき開始時の水が流れ出る量が増えて、影響が大きい。
【００２６】
これを防ぐために、図１では、風呂接続アダプター４の接続部に近いところに、給湯側には電動の浴槽戻り配管３方弁８と、取水側両配管には浴槽送り出し配管側３方弁７を設け、さらに給湯側配管の浴槽戻り配管３方弁８より給湯器側に温度センサー９を取り付ける。この温度センサー９で検知した値を参照して浴槽戻り配管３方弁８と浴槽送り出し配管側３方弁７の動作を行う制御回路により、追いだき開始時に温度センサー９の値が設定温度、または基準温度に満たない場合は、３方弁８が風呂接続アダプターへの通路を遮断し、浴槽を通らずにショートカットする配管１３を通り取水側の浴槽送り出し配管側３方弁７を通り、給湯器に戻るという図６の状態となる。
【００２７】
これにより、追いだき運転開始時の、配管内に溜まった、温度の低下した水が浴槽に流れ込むことなく追いだき運転が開始される。
【００２８】
その後、温度センサーの値が設定温度、または基準温度に達した場合、浴槽戻り配管３方弁８は浴槽をショートカットする配管１３への通路を遮断すると同時に、風呂接続アダプターへの通路を開き、通常の追いだき運転となることで、温度の上がった追いだきの湯が風呂接続アダプターから出てくるという原理になり、図５のような状態となる。
【００２９】
この際に使用される複数の３方弁は、電動で動作するものなど、温度センサー９の値によってコントロールできるものであれば、特に動作原理にこだわらないが、１つの例として、図２のような原理で動作するものでも良い。
【００３０】
図２の場合、可動部２６が現在左側にあり、コモン側接続部２８と３方弁切り替えＡ側接続部２９が接続され、３方弁切り替えＢ側接続部３０が遮断されているが、３方弁駆動用コイルＢ動作用配線２３と３方弁駆動用コイルＡ動作用配線２４にかける電圧の制御で、図３のように可動部２６が右側に移動し、コモン側接続部２８と、二次側にあたる３方弁切り替えＢ側接続部３０が接続され、もう一方の二次側に当たる３方弁切り替えＡ側接続部２９が遮断される。
【００３１】
これにより、コモン側接続部２８と３方弁切り替えＡ側接続部２９または、コモン側接続部２８と３方弁切り替えＢ側接続部３０の接続の切り替えが可能になる部品である。
【００３２】
この３方弁を使用した例を図１の図に当てはめたものが、図４である。図４の浴槽送り出し配管側３方弁７と浴槽戻り配管３方弁８の動きと給湯器の給湯装置３から送られる湯の流れを図解したもので、追いだきショートカット配管１３を通さず、正常な追いだき状態となっているものが図５で、温度センサー９の値が低温で、浴槽への配管が遮断され、追いだきショートカット配管１３で折り返し追いだきしている状態が図６となる。
【実施例２】
【００３３】
本発明の風呂接続補助配管を使用した２つ目の実施例として、給湯器では、凍結防止運転として、冬季の夜間などの低温時に、配管内の水の凍結を防ぐ運転を行うものが多いが、この凍結防止運転は、弱い追いだき運転の応用であるため、浴槽の風呂接続アダプター４より高い位置まで残り湯などを入れておく必要があることが条件となっている場合が多い。
【００３４】
しかし、本発明の風呂接続補助配管を使用することで、浴槽側へ繋がる浴槽送り出し配管５と浴槽戻り配管６への接続を浴槽送り出し配管側３方弁７を遮断し、ショートカット配管１３を通すことで、浴室内までもが氷点下になる極低温時を除けば、浴槽に湯がない場合でも、凍結防止の運転を行うことが出来る。
【実施例３】
【００３５】
図８は、風呂接続アダプターと風呂接続補助配管を一体化した場合を示す例で、風呂接続アダプターから浴槽戻り配管３方弁８までの距離を極力短くすることが可能となり、その結果、本発明でも防ぐことが出来ない、風呂接続アダプターと風呂接続補助配管の浴槽戻り配管３方弁８との間に残る、わずかな湯の温度低下が残ってしまうが、風呂接続アダプターと風呂接続補助配管を一体化することで、浴槽にごく近い部分の非常に短い管内に残る湯のみとなり、事実上、ごく少量の水の流入のみとすることが出来る。
【実施例４】
【００３６】
風呂接続アダプター直近の配管に、浴槽戻り側と浴槽送り側両方に３方弁を設け風呂へ戻る設定と２つの３方弁を配管でショートカットする設定を用意し、配管内の湯の温度を計測しつつ、温度が低い間は給湯器から戻る湯を浴槽に送らず３方弁から浴槽送り側配管の３方弁にショートカットして給湯器に戻し、給湯温度が上がったことを検知しだい、３方弁を切り替え、浴槽へ送り込む。
【実施例５】
【００３７】
図９は、実施例１で挙げた図１の配管の一部を変更し、浴槽の風呂接続アダプターに接続していた配管を、出湯器具に対して接続する例で、出湯器具で給湯器の湯を使用した場合に、配管内で湯の温度が低下することが原因で、湯を止めてしばらくおいた後に出湯した時に、出湯状態が安定するまで冷たい水が出てくる現象を大幅に抑えることができる。
【００３８】
出湯操作スイッチ３３により出湯操作を行った信号による制御で、水供給調整３方弁４７はコモン側である水流ポンプ３７に接続されている側の水路と追いだきショートカット配管１３が開いた状態で、水道管接続配管４５に繋がる水路は閉じた状態となり、出湯開始制御３方弁４８はコモン側である湯温用温度センサー９が取り付けられた配管側の水路と、追いだきショートカット配管１３が開いた状態で、出湯器具接続配管４６繋がる水路は閉じた状態となる。
【００３９】
水の流れを発生させる装置（以後、「水流ポンプ」と呼ぶ）が動作して水流の発生を開始した後に、湯温用温度センサー９が配管ない温度を測りつつ給湯器の給湯装置３が該当器具に向けた湯沸しをはじめる。
【００４０】
水流ポンプ３７による水流と給湯器の給湯装置３による湯沸しにより、温度が上がってきた配管内の湯は、水供給調整３方弁４７と出湯開始制御３方弁４８によるショートカット配管により、水道管３９から水の供給を受けず、かつ出湯器具接続配管４６への水の送り出しを行うことなく配管内の湯の温度を上昇させて温度を上昇させ、湯温用温度センサー９で計測した温度があらかじめ設定している温度に達した時点で、水供給調整３方弁４７はコモン側である水流ポンプ３７に接続されている側の水路と水道管接続配管４５を開いて接続し、追いだきショートカット配管１３側への接続を閉じて、さらに出湯開始制御３方弁４８はコモン側である湯温用温度センサー９が取り付けられた配管側の水路と出湯器具接続配管４６を接続し、追いだきショートカット配管１３側への接続を閉じる。
【００４１】
水道管３９からの水流をせき止めていた水供給調整３方弁４７が水道管３９からの水圧により給湯器への水の供給をはじめ、
出湯器具接続配管４６への水流をせき止めていた出湯開始制御３方弁４８が出湯器具本体３１への湯の供給を始める。
【００４２】
このときに出湯操作から実際の出湯までの時間にタイムラグは発生するものの、温度が下がってしまった湯が出湯するのは、出湯器具先端から出湯開始制御３方弁４８までの間に溜まっていた湯のみとなる。
【００４３】
運転開始時の三方弁や水流の動作フローは図１０のような流れとなるが、これは単純なパターンを表したものであり、必ずしもこの動作フローにこだわらない。
【実施例６】
【００４４】
浴槽と給湯器からの浴槽配管を接続する配管の、給湯側、取水側ともに、給湯器側をコモンとした電気で駆動する３方弁を配置する。二次側の接続口は給湯側、取水側ともに、１方を風呂接続アダプター側に接続し、残りの二次側の接続口は、給湯側と取水側のそれぞれの残る３方弁の１口を接続する。
【００４５】
そして、給湯側配管の３方弁よりも給湯器側の配管に、温度を計測することが出来るサーミスタなどの温度センサーを取り付け、設定した温度を越えると３方弁の動作制御が出来るように電気制御回路を用意しておく。
【００４６】
浴槽配管をＨ型に接続することにより、３方弁の流路の切り替えを行えば、流れの設定により、通常通りに運転する時の浴槽配管の湯の流れは、風呂接続アダプターから取水配管を通り、給湯器内で追いだき運転により、温度を上昇させて、給湯配管から風呂接続アダプターを通って、浴槽に戻るという動きとなる。
【００４７】
そして、一定時間の停止を終えて、追いだき運転を開始した場合には、温度センサーが配管内の温度が低いことを検地し、３方弁によりＨ状に接続された真ん中の、給湯側と取水側の３方弁を接続した配管を通り、浴槽の風呂接続アダプターから水を出したり、浴槽から取水することなく、風呂接続アダプターを通らない配管をショートカットする形での追いだき運転を行う。
【００４８】
風呂接続アダプターを通らない浴槽からの取水無しでの追いだきは、すぐに温度が上がり、設定した温度に達した段階で、給湯配管に配置した温度センサーが給湯温度を検知し、制御回路が給湯側と取水側の３方弁を動作、２つの３方弁をつないでいた配管への流路は３方弁により遮断され、風呂接続アダプターから取水、給湯を行う通常の給湯運転となる。
【産業上の利用可能性】
【００４９】
本発明は給湯装置の運転の時に、湯の温度が上昇するまで給湯を待機させ、温度が暖まった上で出湯出来るようにした給湯装置に掛かる発明である。
【符号の説明】
【００５０】
１  浴槽の構造物
２  浴槽に満たされた湯の湯面
３  給湯器の給湯装置
４  風呂接続アダプター
５  浴槽送り出し配管
６  浴槽戻り配管
７  浴槽送り出し配管側３方弁
８  浴槽戻り配管３方弁
９  湯温用温度センサー
１０  ３方弁制御用電気装置
１１  給湯器浴槽送り出し配管接続部
１２  給湯器浴槽戻り配管接続部
１３  追いだきショートカット配管
１４  水流方向の矢印
１５  給湯用配管
２１  ３方弁駆動用コイルＢ
２２  ３方弁駆動用コイルＡ
２３  ３方弁駆動用コイルＢ動作用配線
２４  ３方弁駆動用コイルＡ動作用配線
２５  ３方弁本体
２６  ３方弁可動部
２７  ３方弁可動部駆動用磁石
２８  ３方弁コモン接続部
２９  ３方弁切り替えＡ側接続部
３０  ３方弁切り替えＢ側接続部
３１  出湯器具本体
３２  シャワーホース（シャワーの場合）
３３  出湯操作スイッチ
３４  出湯操作スイッチ用信号端子
３６  逆止弁
３７  水流ポンプ
３８  水流ポンプ動作用配線端子
３９  水道管（地域水道へ）
４５  水道管接続配管
４６  出湯器具接続配管
４７  水供給調整３方弁
４８  出湯開始制御３方弁
５１  給湯器水供給用水道配管接続部
５２  給湯器出湯器具給湯用配管接続部
５３  水道管接続配管部
【図１】
2013245911.tif 000003
【図２】
2013245911.tif 000004
【図３】
2013245911.tif 000005
【図４】
2013245911.tif 000006
【図５】
2013245911.tif 000007
【図６】
2013245911.tif 000008
【図７】
2013245911.tif 000009
【図８】
2013245911.tif 000010
【図９】
2013245911.tif 000011
【図１０】
2013245911.tif 000012
【図１１】
2013245911.tif 000013
【図１２】
2013245911.tif 000014